(57)【特許請求の範囲】
【請求項１】
鍛造金型に設ける異形形状の製品のノックアウト装置において、
（イ）ノックアウトピンの上下動に応じて、製品の中心部を付勢するノックアウト部材と、（ロ）前記ノックアウト部材のカム部の上昇により駆動する、金型内に設けられた、製品の偏心部に対応する方向へ移動する横動カム部材と、（ハ）前記横動カム部材のカムの移動で押し上げられ、前記製品の偏心部を、前記中心部を付勢するノックアウト部材より小さなストロークで同調して付勢する縦動部材と、を具備することを特徴とする異形形状製品のノックアウト装置。
【請求項２】
前記ノックアウト部材に設けられたカムは、上方が小径になるテーパ面であり、前記横動カム部材に設けられたカムは、前記縦動部材が当接する位置に刻設された溝であることを特徴とする請求項１に記載の異形形状製品のノックアウト装置。
【請求項３】
鍛造金型に設ける異形形状の製品のノックアウト装置において、（イ）下型の下ダイス中心穴に同心に設けたカウンタパンチに昇降自在に外嵌され、上下方向の中間部に下向きに拡がる円錐形のカム部を有し、ノックアウトピンの上下運動で昇降し、上端で製品の中心部を突き出すノックアウト筒と、
（ロ）前記下型の中心部から前記製品の偏心部方向に伸長し、かつ一端が前記ノックアウト筒のカム部に付勢して当接し、前記偏心部の下方位置に円錐カム溝を有する横動カム軸と、（ハ）下端部の円錐カム部を前記横動カム軸の円錐カム溝に滑合当接させ、上端を前記製品の偏心部に当接する上下方向に設けられた縦動カム軸とを有し、（ニ）前記ノックアウト筒の上昇によって、前記横動カム軸が移動し、横動カム軸の円錐カム溝の溝面を縦動カム軸の円錐カム部が上昇し、前記製品の偏心部を前記ノックアウト筒と同調して突き出す異形形状の製品のノックアウト装置。
【発明の詳細な説明】
【０００１】
【発明の属する技術分野】
本発明は、鍛造した異形形状の製品を取り出すために金型に設ける異形形状の製品のノックアウト装置に関するものである。
【０００２】
【従来の技術】
従来の技術においては、鍛造した異形形状の製品を金型から突き出す場合は、図２に示すような装置を金型内に設けるのが一般的である。
すなわち、図２に示すように、上型１の上ダイ２と下型３の下ダイ４内に鍛造された異形形状の製品５は、中心に円柱形のボス部５Ａから半径方向に伸びる腕部５Ｂを有する異形形状の成形品で、鍛造後上型１が上昇し、上ダイ２から押し出されて下ダイ４に残った製品５は、ボス部５Ａを突き上げるノックアウト筒６と、腕部５Ｂを突き上げるノックアウト棒７とを、下型３中心に対応して設けるノックアウトピン８で、中間に半径方向のアーム部９Ａを有する昇降台９を介して突き上げて、下ダイ４から突き出していた。
【０００３】
【発明が解決しようとする課題】
上述の従来の技術は、中心にあるノックアウト筒６と中心から偏心したノックアウト棒７とを突き上げる昇降台９が、アーム９Ａに受ける偏心荷重に耐える剛性を必要とするため大形となり、しかも昇降する上下方向の隙間を必要とする。ノックアウト筒６とノックアウト棒７と昇降台９とを連接する軸１０，１１も必要であり、下型３は大きな高さを必要とし、金型が大形化するため、プレス能力が合致しても小さなダイハイト仕様のプレス機械ではプレス加工出来ないと言う大きな欠点があった。
【０００４】
この欠点を除こうとして中心のノックアウト筒６だけでノックアウトを行えば、昇降台９をなくすことは出来、金型の高さを小さくすることは出来るが、突き出される製品５が腕部５Ｂのノックアウトが遅れているため傾斜し、下ダイ４との間にこじりを生じ、下ダイ４の摩耗を早める他、製品５に傷を発生する。
【０００５】
本発明の目的は、上述の課題を解決し、異形形状の製品の中心と中心から離れた位置との複数個所で突き出すことが出来、かつ下型の高さを低くすることの出来る異形形状の製品のノックアウト装置を提供することにある。
【０００６】
【課題を解決するための手段】
上述の課題を解決するために、本発明は、鍛造金型に設ける異形形状の製品のノックアウト装置において、ノックアウトピンの上下動に応じて、製品の一部を付勢するノックアウト部材と、ノックアウト部材のカム部の上昇により駆動され、製品の他部に対応する方向へ移動する横動カム部材と、横動カム部材のカムの移動で押し上げられ、製品の他部をノックアウト部材と同調して付勢する縦動部材とを具備する。
【０００７】
上述の異形形状の製品のノックアウト装置において、ノックアウト部材に設けられたカムは、上方が小径になるテーパ面であり、横動カム部材に設けられたカムは、横動カム部材の外周部に刻設された溝であることを特徴とする。
【０００８】
または、鍛造金型に設ける異形形状の製品のノックアウト装置において、下型の下ダイス中心穴に同心に設けたカウンタパンチに昇降自在に外嵌され、上下方向の中間部に下向きに拡がる円錐形のカム部を有し、ノックアウトピンの上下運動で昇降し、上端で製品の中心部を突き出すノックアウト筒と、ノックアウト筒のカム部に軸端の円錐形部を望ませ、下型の中心部から製品の偏心部に対応する半径方向に伸長し、かつ下型中心部に向けて付勢して設けられ、製品の偏心部に対応する位置の溝底から軸方向両側に拡大する円錐からなる円錐カム溝を有し、ノックアウト筒のカム部の上昇で円錐形部を駆動され移動する横動カム軸と、下端部の円錐カム部を横動カム軸の円錐カム溝に滑合当接させ、上端を製品の偏心部に当接させて上下方向に設けられ、横動カム軸の円錐カム溝の移動で上昇し、製品の偏心部をノックアウト筒と同調して突き出す縦動カム軸とを具備する。
【０００９】
【発明の実施の形態】
図１に本発明における異形形状の製品のノックアウト装置の一実施例を示す。
図１に示すように、金型１５は上型１６及び下型１７からなり、上型１６の上ダイ１８を固定した上ダイ受け１９はクッションピン２０を介して上クッションシリンダ２１により付勢される。上ダイ１８の中心穴には所要の長さのパンチ２２を固定し、パンチ２２に外嵌して上ノックアウト筒２３を所要の長さに設け、上ノックアウトピン２４で、上型１６が上昇する所要の時期に突き上げて上ダイ１８から鍛造した製品２５を突き出す。
【００１０】
下型１７には上型１６と同様に、下ダイ２６を固定した下ダイ受け２７は、クッションピン２８を介して下クッションシリンダ２９により付勢される。下ダイ２６の中心穴には所要の長さのカウンタパンチ３０を固定し、カウンタパンチ３０に外嵌して所要の長さのノックアウト筒３１を設け、これを下ノックアウトピン３２で、上型１６が上昇した後に、下ダイ２６から製品２５をノックアウトする時期に突き上げる。
【００１１】
互いに固定した下ダイ２６と下ダイ受け２７には、ノックアウト筒３１が製品２５の中心部２５Ａを突き出す時に、同調して製品２５の偏心部２５Ｂを突き出す装置を設けている。本実施例では、上型１６からは製品２５が比較的容易に突き出すことが出来るので、下型１７だけにこの装置を設けたが、上型１６にも設けることが出来る。
【００１２】
ノックアウト筒３１の上下方向中間部に設けた下拡がりの円錐形をしたカム部３１Ａに対向させて、軸端の円錐形部３３Ａから横方向に伸長する横動カム軸３３を、製品２５の偏心部２５Ｂが伸出する半径方向に合致させて下ダイ受け２７内部に設け、下ダイ受け２７の外周部と横動カム軸３３の他端との間にばね３４を設けて付勢している。横動カム軸３３の軸径よりも円錐形部３３Ａを設けた軸端を小径とし、この段部で円錐形部３３Ａがカム部３１Ａに摺動するように位置決めしている。
【００１３】
横動カム軸３３には、製品２５の偏心部２５Ｂに対応する位置の下方部分に円錐カム溝３３Ｂを設け、製品２５の偏心部２５Ｂと円錐カム溝３３Ｂとの間に、下端部の円錐カム部３５Ａを円錐カム溝３３Ｂに滑合当接させた上下方向を向く縦動カム軸３５を設けている。
【００１４】
従って、ノックアウトピン３２でノックアウト筒３１を突き上げて製品２５の中心部２５Ａを突き出す時、上昇するノックアウト筒３１のカム部３１Ａによって円錐形部３３Ａが横方向へ移動する。横動カム軸３３に設けた円錐カム溝３３Ｂの移動で、縦動カム軸３５が押し上げられ、製品２５の偏心部２５Ｂをノックアウト筒３１と同調して突き出すことが出来る。
【００１５】
ノックアウトピン３２が下降し、同時にノックアウト筒３１が下降すると、横動カム軸３３はばね３４の付勢力で移動復帰し、縦動カム軸３５は円錐カム溝３３Ｂに落ち込んで復帰する。偏心部２５Ｂのノックアウトは、製品２５が下ダイ２６から外れるだけでよく、縦動カム軸３５は小さなストロークで十分である。なお、縦動カム軸３５の下降を早くしたい場合は、下降用の復帰ばねを設ければよい。
【００１６】
上述は一実施例について説明したが、複数のノックアウト装置を金型内に組み込み、プレス機械の上下方向の寸法を小さくすると言う本発明の技術的思想に基づく設計変更は、全て本発明に含まれることは言うまでもない。
【００１７】
【発明の効果】
以上の説明から明らかなように、本発明によれば、カムを用いて動作する横動カム軸と縦動カム軸を金型内に設けて、異形形状の鍛造品の中心部と偏心部との複数個所を同時に突き出すことが出来るので、ノックアウトによる製品の傾きが発生せず、ノックアウトが円滑で、こじれによるダイの摩耗を防止でき、金型の寿命も向上する。また、ノックアウト装置のための昇降台等を金型の上下位置に設ける必要がないため、ダイハイトの小さなプレス機械を活用出来る等の多くの効果がある。
【図面の簡単な説明】
【図１】異形形状のの製品ノックアウト装置を設けた金型要部の正面図
【図２】従来例における金型要部の正面図
【符号の説明】
１５は金型、１６は上型、１７は下型、１８は上ダイ、１９は上ダイ受け、２０はクッションピン、２１は上クッションシリンダ、２２はパンチ、２３は上ノックアウト筒、２４は上ノックアウトピン、２５は製品、２５Ａは中心部、２５Ｂは偏心部、２６は下ダイ、２７は下ダイ受け、２８はクッションピン、２９は下クッションシリンダ、３０はカウンタパンチ、３１はノックアウト筒、３１Ａはカム部、３２はノックアウトピン、３３は横動カム軸、３３Ａは円錐形部、３３Ｂは円錐カム溝、３４はばね、３５は縦動カム軸、３５Ａは円錐カム部、である。
以上
【図１】
0003690779.tif 000002
【図２】
0003690779.tif 000003